(57)【要約】【課題】ＰＯＳレジスタに表示される買い上げ明細を見易くすることにより、セルフＰＯＳレジスタの操作性を向上させる。【解決手段】顧客が購入する商品を登録する登録手段と、登録手段が登録した商品の品目数に基づき、文字サイズを決定する文字サイズ決定手段と、文字サイズ決定手段が決定した文字サイズにて、登録手段が登録した顧客の買い上げ明細を表示する表示手段と、からなるＰＯＳレジスタ。【選択図】図１
2011253233.tif 000002
【特許請求の範囲】
【請求項１】
顧客が購入する商品を登録する登録手段と、
前記登録手段が登録した商品の品目数に基づき、文字サイズを決定する文字サイズ決定手段と、
前記文字サイズ決定手段が決定した文字サイズにて、前記登録手段が登録した顧客の買い上げ明細を表示する表示手段と、
を備えることを特徴とするＰＯＳレジスタ。
【請求項２】
前記買い上げ明細における文字サイズを変更する変更操作手段を更に備え、
前記表示手段は、前記変更操作手段により文字サイズが変更されると、当該文字サイズにて前記買い上げ明細を表示する
ことを特徴とする請求項１に記載のＰＯＳレジスタ。
【請求項３】
前記買い上げ明細に表示する商品の件数を変更する表示件数変更操作手段を更に備え、
前記文字サイズ決定手段は、前記表示件数変更操作手段により件数が変更されると、当該件数に基づき文字サイズを決定し、
前記表示手段は、前記表示件数変更操作手段により件数が変更されると、前記文字サイズ決定手段が決定した文字サイズにて、当該件数の前記買い上げ明細を表示する
ことを特徴とする請求項１に記載のＰＯＳレジスタ。
【発明の詳細な説明】
【技術分野】
【０００１】
本発明は、顧客が購入する商品の情報を表示するＰＯＳレジスタに関する。
【背景技術】
【０００２】
近年、スーパーマーケット等の店舗では、顧客自身がレジを操作して会計を済ませる「セルフＰＯＳ（Ｐｏｉｎｔ  Ｏｆ  Ｓａｌｅｓ）レジスタ」を導入する店舗が多くなってきている。
セルフＰＯＳレジスタでは、まず、顧客がスキャナを用いて商品のバーコードを読み取り、商品登録を行う。商品登録が行われると、セルフＰＯＳレジスタは買い上げ明細を表示画面に表示する。次に、顧客がセルフＰＯＳレジスタに現金（或いはカード）を投入すると、セルフＰＯＳレジスタはレシートとお釣りがある場合にはお釣りを出す。顧客は、セルフＰＯＳレジスタから出されたレシートとお釣りを受け取り帰る、という一連の操作がなされる。
【０００３】
セルフＰＯＳレジスタには、顧客が一度操作を覚えてしまえば、買い物点数が少ない場合などには会計を早く済ませることができるという利点がある。この利点を活用するため、店員が操作する複数台のＰＯＳレジスタのうち一部をセルフＰＯＳレジスタに置き換えることが考えられる。そして、買い物点数が少ない顧客にセルフＰＯＳレジスタを使用してもらうことにより、会計待ちの顧客を分散し、会計待ちの行列が出来ることを防ぎ、顧客満足度を向上させることができる。
【０００４】
特許文献１に記載された技術では、複数のカラムからなるリストを表示する際、表示倍率を変えると設定に基づいて表示対象となるカラムを表示する。また、特許文献２には、表示部に表示する情報のフォントの大きさを指定することができる決済端末機が記載されている。
【先行技術文献】
【特許文献】
【０００５】
【特許文献１】特開２００３−２５６０９４号公報
【特許文献２】特開２００５−１５７４３６号公報
【発明の概要】
【発明が解決しようとする課題】
【０００６】
買物点数が少ない顧客にセルフＰＯＳレジスタを使用してもらうことにより、会計待ちの顧客を分散し、会計待ちの行列が出来ることを防ぎ、顧客満足度を向上させることがセルフＰＯＳレジスタを導入する目的である。しかしながら、従来技術におけるセルフＰＯＳレジスタは、顧客の購入品目数が多い少ないに関わらず所定の文字サイズ（文字の大きさ）及び所定の表示件数にて買い上げ明細を表示部に表示させて会計を行っていたため、例えば買物点数が少ない場合であっても文字が小さく表示されるので、見辛い等の理由により操作性が低下し、客捌きの効率が低下する場合があった。
そのため、特許文献１及び２に記載された技術を用いて、買い上げ点数が少ない顧客の買い上げ明細を大きな文字で表示することにより、商品名称や買い上げ点数の確認を容易にすることが考えられる。しかしながら、その都度オペレータ（顧客）がボタン操作等で表示させる文字の大きさを変えなければならず、手間が掛かる、という欠点がある。
また、一つ前に会計を済ませた顧客のボタン操作によっては、買い上げ明細がそのまま大きな文字で表示される場合があるが、買い上げ点数が多い顧客の場合、表示される文字が大きいために一つの画面に買い上げ明細が収まらず、複数の画面（ページ）にて買い上げ明細が表示される。そのため、オペレータ（顧客）が画面を切り替えなければ買い上げ明細における全ての商品名称や買い上げ点数の確認を行うことができない、という欠点がある。
また、何れの場合においても、オペレータ（顧客）が必ずボタン操作等を行わなければ文字サイズ（文字の大きさ）及び表示件数を変更することができない、という問題がある。
【０００７】
本発明は、このような事情を考慮してなされたものであり、その目的は、セルフＰＯＳレジスタに表示される買い上げ明細を見易くすることにより、セルフＰＯＳレジスタの操作性を向上させ、客捌きの効率を改善することにある。
【課題を解決するための手段】
【０００８】
本発明は上記の課題を解決するためになされたものであり、本発明の一態様は、顧客が購入する商品を登録する登録手段と、前記登録手段が登録した商品の品目数に基づき、文字サイズを決定する文字サイズ決定手段と、前記文字サイズ決定手段が決定した文字サイズにて、前記登録手段が登録した顧客の買い上げ明細を表示する表示手段と、を備えることを特徴とするＰＯＳレジスタである。
【０００９】
この発明によれば、登録した商品の品目数に基づいて、買い上げ明細における表示文字サイズが決定される。このため、顧客が購入する商品の品目数が少ない場合、不要な操作や、人手を介することなく買い上げ明細を見やすい大きな文字で表示することができるため、購入する商品の名称及びその購入点数の目視確認が容易となり、会計操作をスムーズに行うことができる。これにより、ＰＯＳレジスタの操作性が向上し、会計待ちの行列を解消することができる。
【００１０】
また、本発明の一態様は、上記のＰＯＳレジスタにおいて、前記買い上げ明細における文字サイズを変更する変更操作手段を更に備え、前記表示手段は、前記変更操作手段により文字サイズが変更されると、当該文字サイズにて前記買い上げ明細を表示することを特徴とする。
【００１１】
この発明によれば、買い上げ明細における文字サイズをオペレータの意思により変更することができるため、顧客が購入する商品の品目数が多い場合であっても、買い上げ明細を大きな文字で表示させることができる。これにより、購入する商品の名称及びその購入点数を容易に目視確認できるため、会計操作をスムーズに行うことができる。また、一度に多くの商品を表示させて確認することにより、画面の表示切替回数を少なくすることができる。
【００１２】
また、本発明の一態様は、上記のＰＯＳレジスタにおいて、前記買い上げ明細に表示する商品の件数を変更する表示件数変更操作手段を更に備え、前記文字サイズ決定手段は、前記表示件数変更操作手段により件数が変更されると、当該件数に基づき文字サイズを決定し、前記表示手段は、前記表示件数変更操作手段により件数が変更されると、前記文字サイズ決定手段が決定した文字サイズにて、当該件数の前記買い上げ明細を表示することを特徴とする。
【００１３】
この発明によれば、表示する買い上げ明細の件数を変更することができる。また、表示する買い上げ明細の件数を変更すると、その件数に合わせて文字サイズも変更される。これにより、顧客の希望に応じた表示件数にて買い上げ明細を表示することができるため、購入する商品の名称及びその購入点数の目視確認を容易にすることができる。また、表示件数に合わせて文字サイズも変更されるため、買い上げ明細を見易く表示する、または画面の切り替え回数を少なくすることができる。このため、何れの顧客も購入商品の目視確認をスムーズに行うことができ、従来に比べて速やかに会計を完了することができる。
【発明の効果】
【００１４】
本発明によれば、登録した商品の品目数に基づいて、買い上げ明細における表示文字サイズが決定される。このため、顧客が購入する商品の品目数が少ない場合、不要な操作や、人手を介することなく買い上げ明細を見やすい大きな文字で表示することができる。また、顧客が購入する商品の品目数が多い場合は、一画面に表示する明細を多くすることができるため、画面を切り替える回数を少なくすることができる。これにより、購入する商品の名称及びその購入点数の目視確認が容易となり、会計操作をスムーズに行うことができる。このため、ＰＯＳレジスタの操作性が向上し、客捌きの効率を向上させることにより会計待ちの行列をすみやかに解消することができる。
【図面の簡単な説明】
【００１５】
【図１】本発明の一実施形態によるＰＯＳシステムの構成を示した概略図である。
【図２】本実施形態による印刷用ＰＯＳレジスタの電気的構成を示すブロック図である。
【図３】本実施形態による会計用ＰＯＳレジスタの電気的構成を示すブロック図である。
【図４】本実施形態における表示設定テーブルのデータ構造及びデータ例を示す概略図である。
【図５】本実施形態における表示パターンテーブルのデータ構造及びデータ例を示す概略図である。
【図６】本実施形態によるＰＯＳシステムの構成を示したイメージ図である。
【図７】本実施形態による会計処理の手順を示すフローチャートである。
【図８】本実施形態による１０件表示画面の表示例を示す概略図である。
【図９】本実施形態による２０件表示画面の表示例を示す概略図である。
【図１０】本実施形態による２０−１０件表示画面の表示例を示す概略図である。
【図１１】本実施形態による会計画面の表示例を示す概略図である。
【発明を実施するための形態】
【００１６】
以下、図面を参照しながら本発明の実施形態について詳しく説明する。
図１は、本発明の一実施形態によるＰＯＳシステムの構成を示した概略図である。図１に示すように、ＰＯＳシステムは、ストアコントローラ１０と、Ｎ台（Ｎは１以上の整数）の印刷用ＰＯＳレジスタ２０と、Ｍ台（Ｍは１以上の整数）の会計用ＰＯＳレジスタ（セルフＰＯＳレジスタ）３０とを含んで構成される。印刷用ＰＯＳレジスタ２０には、ストアコントローラ１０とＬＡＮ（Ｌｏｃａｌ  Ａｒｅａ  Ｎｅｔｗｏｒｋ）１１０を介して接続されているものと、接続されていないものとが存在する。また、会計用ＰＯＳレジスタ３０も同様に、ＬＡＮ１１０を介してストアコントローラ１０と接続されているものと、接続されていないものとが存在する。図１において、各印刷用ＰＯＳレジスタ２０と各会計用ＰＯＳレジスタ３０とは、ＬＡＮ１１０を介して接続されていなくとも良いことを示している。なお、ＬＡＮ接続の形態は、有線、あるいは、無線など何れの接続であってもよい。
【００１７】
ストアコントローラ１０は、ＰＯＳシステムを制御するコンピュータであって、商品マスタなどの種々の情報を管理する。ストアコントローラ１０は、適宜、最新の商品マスタを各印刷用ＰＯＳレジスタ２０と会計用ＰＯＳレジスタ３０に送信する。なお、商品マスタは、各商品の商品識別情報である商品コード、商品名称、販売価格などの商品情報を格納したファイルであって、適宜、更新される。
【００１８】
印刷用ＰＯＳレジスタ２０は、顧客が購入する商品の全ての買い上げ情報をコード（精算用コード）にしてレシートへ印刷するための装置である。買い上げ情報とは、顧客が購入する商品の情報であって、例えば商品に付されたバーコードが表す情報であるコード情報である。コード情報には、商品コード等が含まれる。印刷用ＰＯＳレジスタ２０は、種々の操作キーや表示部などを備える。印刷用ＰＯＳレジスタ２０は、店員の操作により顧客が購入する商品に付されたバーコード（商品コード）を読み取るバーコードスキャナが接続されている。印刷媒体（レシート用紙）に印刷されるコード（精算用コード）は、２次元コード（例えば、ＱＲ（Ｑｕｉｃｋ  Ｒｅｓｐｏｎｓｅ）コード（登録商標））である。従って、前記印刷用ＰＯＳレジスタ２０は、前記顧客が購入する商品に付されたコード情報（バーコード）を読み取り、当該読み取ったバーコードに基づいて、顧客の買い上げ情報を表すコード（２次元コード）に変換し、当該２次元コードをレシートへ印刷する装置であるので、前記ＬＡＮを介してストアコントローラ１０に接続されていなくとも印刷には支障ない。
【００１９】
会計用ＰＯＳレジスタ３０は、印刷媒体（レシート）に印刷されたコード（精算用コード：例えば、２次元コード）を読み取って会計を行なうための装置である。会計用ＰＯＳレジスタ３０は、コードを読み取るスキャナ部３０４を有する。また、会計用ＰＯＳレジスタ３０は、ストアコントローラ１０が管理する商品マスタの複製をＲＡＭ３０３に記憶している。なお、会計用ＰＯＳレジスタ３０は、最新の商品マスタをストアコントローラ１０から直接的に適宜取得し、ＲＡＭ３０３に記憶することができる。なお、メディア（例えば、ＣＤ−ＲＯＭ）を用いて、予め最新の商品マスタを会計用ＰＯＳレジスタ３０のＲＡＭ３０３に保存しておけば、前記ＬＡＮを介してストアコントローラ１０に接続されていなくとも会計には支障ない。
【００２０】
続いて、図２を用いて、印刷用ＰＯＳレジスタ２０の電気的構成を説明する。ＰＯＳレジスタ２０は、ＣＰＵ（Ｃｅｎｔｒａｌ  Ｐｒｏｃｅｓｓｉｎｇ  Ｕｎｉｔ）２０１と、ＲＯＭ２０２と、ＲＡＭ２０３と、スキャナ部２０４と、表示部（店員用）２０５と、表示部（客用）２０５ａと、操作部２０６と、通信部２０７と、ブザー２０８と、レシート印刷部２０９と、ハードディスク２１０とを有し、互いにバスを介して接続されており相互に通信可能である。
【００２１】
ＣＰＵ２０１は、中央処理装置であり、ＲＯＭ２０２に記憶されているプログラムを読み出して実行することにより、印刷用ＰＯＳレジスタ２０の動作を制御する。ＲＯＭ２０２は、上記プログラムを記憶している読み出し専用メモリである。ＲＡＭ２０３は、種々の情報を記憶する随時読み出し書き込みメモリである。スキャナ部２０４は、商品に付されているバーコード（商品コード）を光学的に読み取る。例えば、スキャナ部２０４によって読み取られたバーコード（商品コード）などをＲＡＭ２０３は記憶する。
【００２２】
表示部（店員用）２０５および表示部（客用）２０５ａは、種々の情報を表示する。例えば、表示部（店員用）２０５および表示部（客用）２０５ａは、商品マスタから取得した情報（例えば、商品の名称、価格等）を表示する。また、表示部（店員用）２０５は、タッチパネル式（例えば、液晶タッチパネル）であるため、店員への表示に加え、画面に設けられたボタン（プリセットボタン）に予め設定登録されている商品の商品情報（商品コード等）の入力を受け付ける。
【００２３】
操作部２０６は、ＰＯＳレジスタ２０を動作させる各種のキー、小計キー、現計キー、置数キー、訂正キー、プリセットキー等の操作ボタンからなる。例えば、操作部２０６は、予めプリセットキーに設定登録されている商品情報（商品コード等）の入力を受け付ける。
【００２４】
通信部２０７は、ＬＡＮ１１０を経由しストアコントローラ１０と通信する。なお、当該印刷用ＰＯＳレジスタ２０は、顧客の買い上げ情報を２次元コードでレシートへ印刷する装置であるので、通信部２０７は、ＬＡＮを介してストアコントローラ１０等に接続されていなくとも良い。ブザー２０８は、操作の確認が必要な時などにブザー音を発生させるものである。
【００２５】
レシート印刷部２０９は２次元コード（ＱＲコード（登録商標））をレシートへ印刷する。ハードディスク２１０は、前記レシートへ印刷終了後、ＲＡＭ２０３が記憶する顧客の買い上げ情報（順番情報を含む）を記憶する。
【００２６】
続いて、図３を用いて、会計用ＰＯＳレジスタ３０の電気的構成を説明する。会計用ＰＯＳレジスタ３０は、図３に示すように、ＣＰＵ３０１と、ＲＯＭ３０２と、ＲＡＭ３０３と、スキャナ部（読み取り手段）３０４と、表示部（報知手段）３０５と、操作部３０６と、通信部３０７と、ブザー３０８と、印刷部３０９とを含んで構成され、バスを介して接続されており相互に通信可能である。
【００２７】
ＣＰＵ３０１は、中央処理装置であり、ＲＯＭ３０２に記憶されているプログラムを読み出して実行することにより、会計用ＰＯＳレジスタ３０の動作を制御する。ＲＯＭ３０２は、上記プログラムを記憶している読み出し専用メモリである。
【００２８】
スキャナ部３０４は、前記印刷用ＰＯＳレジスタ２０で印刷されたレシートの２次元コード（ＱＲコード（登録商標））、或いは、商品に付されているバーコード（商品コード）のいずれかを光学的に読み取る。ＲＡＭ３０３は、種々の情報を記憶する随時読み出し書き込みメモリである。例えば、ＲＡＭ３０３は、ストアコントローラ１０から取得した商品マスタ、スキャナ部３０４によって読み取られた２次元バーコードによって示される商品の買い上げ情報などを記憶する。
【００２９】
表示部３０５は、種々の情報を表示する。例えば、スキャナ部３０４で読み取られたコード情報に基づき、顧客が購入する商品の買い上げ明細を表示させる。操作部３０６は、ＰＯＳレジスタ３０を動作させる各種のキー（例えば、小計キー、現計キー、置数キー、訂正キー、預りキー等）の操作ボタンからなる。
【００３０】
通信部３０７は、ＬＡＮ１１０を経由しストアコントローラ１０と通信する。例えば、ストアコントローラ１０と接続して、ストアコントローラ１０から最新の商品マスタを取得する。ブザー３０８は、エラー等のブザー音を発生させるものである。印刷部３０９は顧客の会計終了後、当該顧客が持ち帰る会計済みレシートを印刷する。
【００３１】
次に、ＲＡＭ３０３が記憶する表示設定テーブル及び表示パターンテーブルについて説明する。図４は、本実施形態における表示設定テーブルのデータ構造及びデータ例を示す概略図である。図示するように、表示設定テーブルは、行と列からなる２次元の表形式のデータであり、条件と、表示パターンの各項目の列を有している。この表示設定テーブルの各行は、条件毎に存在する。条件は、顧客が購入する商品の品目数に関する条件である。表示パターンは、買い上げ明細に表示する商品の品目件数と文字サイズを一意に決める識別番号である。
【００３２】
図５は、本実施形態における表示パターンテーブルのデータ構造及びデータ例を示す概略図である。図示するように、表示パターンテーブルは、行と列からなる２次元の表形式のデータであり、表示パターンと、品目件数と、文字サイズの各項目の列を有している。この表示設定テーブルの各行は、表示パターン毎に存在する。品目件数は、買い上げ明細に表示する商品の品目件数である。文字サイズは、買い上げ明細における表示文字サイズである。
【００３３】
続いて、図６を用いて、ＰＯＳシステムにおける会計処理の流れの概略を説明する。図６は、本実施形態によるＰＯＳシステムの構成を示したイメージ図である。まず、印刷用ＰＯＳレジスタ２０において、店員がスキャナ部２０４を用いて、顧客が購入する商品のバーコードを読み取る。店員は、顧客が購入する全ての商品についてバーコードを読み取ると、精算用レシート５０を印刷部２０９により発行し、顧客に手渡す。精算用レシート５０とは、顧客の買い上げ情報を含む２次元コードが印刷されているレシートである。
【００３４】
次に、精算用レシート５０を受け取った顧客は、会計用ＰＯＳレジスタ３０のスキャナ部３０４を用いて、精算用レシート５０に印刷された２次元コードを読み取り、会計を行う。このように、店員が商品登録と２次元コードの印刷操作をするので、効率がよく、一定の時間で登録処理を行うことができる。また、店員が商品の登録を行うことにより、悪意のある顧客による商品登録の改ざんが起こらないように監視することができるので、店員は、セキュリティ面における監視役としての役割も果たすこととなる。
【００３５】
また、２次元コードが印刷されたレシートを発行する印刷用ＰＯＳレジスタ２０と、レシートに印刷された２次元コードに基づき会計を行う会計用ＰＯＳレジスタ３０の設置台数を同数にする必要がないため、会計時間が短くて済む会計用ＰＯＳレジスタ３０の数を少なくしてもよい。会計用ＰＯＳレジスタ３０の台数を削減することにより、ＰＯＳレジスタ設置空間を削減することができるので、空いたＰＯＳレジスタ設置空間を売り場面積として有効活用することができる。仮にＰＯＳレジスタの台数を削減したとしても、従来のＰＯＳシステムと比べると、ＰＯＳレジスタの会計処理時間を大幅に短縮することができ、会計待ち時間を短縮することができる。
【００３６】
続いて、図７を用いて会計用ＰＯＳレジスタ３０における会計処理の流れを説明する。図７は、本実施形態による会計処理の手順を示すフローチャートである。
まず、顧客は会計用ＰＯＳレジスタ３０のスキャナ部３０４を用いて、精算用レシート５０に印刷された２次元コードを読み取る（ステップＳ２００）。スキャナ部３０４は、精算用レシート５０に印刷された２次元コードを光学的に読み込む。次に、ＣＰＵ３０１（登録手段）が、顧客が購入する商品の商品情報を登録する（ステップＳ２１０）。具体的には、ＣＰＵ３０１は、スキャナ部３０４が読み込んだ２次元コードに記憶されている商品コードを用いて商品マスタに記憶されている商品情報を読み込み、この商品情報をＲＡＭ２０３に記憶させる。このとき、ＣＰＵ３０１は、商品の買い上げ点数を加算する。また、ＣＰＵ３０１は、商品の値段を加算することにより合計金額を計算する。また、ＣＰＵ３０１は、商品コードが同じ商品については、その個数を加算する。これにより、ＣＰＵ３０１は、顧客が購入する（登録手段が登録した）商品の情報である買い上げ明細を作成する。
【００３７】
次に、２次元コードの読み忘れがあるか否かを判定する処理について説明する。「お会計」ボタンが押された場合、ＣＰＵ３０１は、全ての２次元コードを読み込んだ（読み忘れなし）か否かを判定する（ステップＳ２２０）。そして、読まれていない２次元コードがある場合には（ステップＳ２２０：Ｎｏ）、ステップＳ２３０へ分岐する。一方、ＣＰＵ３０１は、全ての２次元コードを読み取り済みと判定した場合（ステップＳ２２０：Ｙｅｓ）、ステップＳ２４０の処理へ進む。例えば、精算用レシート５０に２つの２次元コードが印刷されており、この２つの２次元コードのうち、１つの２次元コードをスキャナ部３０４が読み取り済みの状態で、顧客が「お会計」ボタンを押した場合、ＣＰＵ３０１は２次元コードが１つ読まれていないことを判定する。
【００３８】
具体的には、ＣＰＵ３０１は、精算用レシート５０に印刷された各２次元コードに割り付けられた分数に基づいて読み込まれていない２次元コードがあるか否かを判定する。このとき、各２次元コードには、精算用レシート５０に印刷された２次元コードの総数を分母とし、何番目の２次元コードであるかを表す対象２次元コードを分子とした分数「対象２次元コード／総数」（例えば、１／２，２／２）が記憶されている。具体的には、ＣＰＵ３０１は、２次元コードを読み取る毎にＲＡＭ３０３の２次元コード読み取り回数エリアにその分数を記憶する。そして、ＣＰＵ３０１は、ＲＡＭ３０３の２次元コード読み取り回数エリアへ記憶された値と、２次元コードに含まれる分数（例えば、１／２，２／２）とを比較して、読まれていない２次元コードがあるか否か判定する。例えば、２次元コード読み取り回数エリアに「１／２」のみが記憶されている場合には、記憶されている分数「１／２」の分母「２」から2次元コードが２つあり、「２／２」を含む２次元コードが読み込まれていないと判定する。
【００３９】
ステップＳ２２０からＮｏへの分岐の場合、ＣＰＵ３０１は、表示部３０５に顧客に対して読み忘れている２次元コードを読ませるように注意喚起するメッセージを表示させる（ステップＳ２３０）。例えば、ＣＰＵ３０１は、表示部３０５に「読ませていない２次元コードがあります」と表示させる。
【００４０】
次に、ＣＰＵ３０１は、ＲＡＭ３０３に記憶した買い上げ明細における登録商品の品目件数（以下、登録商品品目件数とする）をカウントする（ステップＳ２４０）。このとき、ＣＰＵ３０１は、商品コードが同一の商品については、それらをまとめて１件とする。そして、ＣＰＵ３０１は、ステップＳ２４０にてカウントした登録商品品目件数に基づいて買い上げ明細を表示部３０５に表示させる（ステップＳ２５０）。具体的には、ＣＰＵ３０１は、登録商品の商品名称、個数、値引割引、金額等を表示部３０５にリスト表示させる。買い上げ明細の表示の詳細については後述する。このとき、ＣＰＵ３０１は、表示設定テーブル及び表示パターンテーブルに基づき、リストに表示する品目件数及び文字サイズを決定する。つまり、ＣＰＵ３０１は、登録商品品目件数が表示設定テーブルの条件に合致する表示パターンにて買い上げ明細を表示する。具体的には、ＣＰＵ３０１は、登録商品品目件数が１０件以下の場合には、図４に示す表示設定テーブルで表示パターン１を選択し、リストに表示する品目件数を１０件とし、買い上げ明細における文字サイズを「大」とする。一方、ＣＰＵ３０１は、登録商品品目件数が１１件以上の場合には、図４に示す表示設定テーブルで表示パターン２を選択し、リストに表示する品目件数を２０件とし、買い上げ明細における文字サイズを「小」とする。つまり、ＣＰＵ３０１（文字サイズ決定手段）は、登録商品品目件数（登録手段が登録した商品の品目数）に基づき、買い上げ明細におけるリストに表示する品目件数及び文字サイズを決定する。また、表示部３０５（表示手段）は、文字サイズ決定手段が決定した文字サイズにて買い上げ明細を表示する。
【００４１】
次に、ＣＰＵ３０１は、表示切替ボタン（変更操作手段、表示件数変更操作手段）が押下されたか否かを判定する（ステップＳ２６０）。表示切替ボタンが押下された場合には、ステップＳ２７０へ分岐する。一方、表示切替ボタンが押下されていない場合には、ステップＳ２８０へ進む。
【００４２】
ステップＳ２６０からＹｅｓに分岐の場合、ＣＰＵ３０１は、表示部３０５に表示する買い上げ明細における文字サイズ及びリストの品目件数を変更する（ステップＳ２７０）。つまり、ＣＰＵ３０１は、表示切替ボタンが押下されると、表示パターンテーブルにおける表示パターンを巡回的に切り替える。例えば、ＣＰＵ３０１は、現在表示している表示パターンが１の場合は２に切り替え、現在表示している表示パターンが２の場合は１に切り替える。具体的には、ＣＰＵ３０１は、現在表示しているリストの品目件数が２０件の場合にはリストの品目件数を１０件に、文字サイズを「大」に変更する。一方、リストの品目件数が１０件の場合にはＣＰＵ３０１は、リストの品目件数を２０件に、文字サイズを「小」に変更する。なお、本実施形態では、表示パターンテーブルに品目件数及び文字サイズを設定しているが、表示パターンテーブルに品目件数のみを設定してもよい。この場合、ＣＰＵ３０１は、表示切替ボタンが押下されると、表示パターンテーブルに基づき品目件数を変更し、その品目件数に基づいて文字サイズを決定する。つまり、ＣＰＵ３０１（文字サイズ決定手段）は、表示件数変更操作手段により件数が変更されると、当該件数に基づいて文字サイズを決定する。また、表示部３０５（表示手段）は、変更操作手段により文字サイズが変更されると、当該文字サイズにて買い上げ明細を表示する。また、表示部３０５（表示手段）は、表示件数変更操作手段により件数が変更されると、文字サイズ決定手段が決定した文字サイズにて、当該件数の買い上げ明細を表示する。
【００４３】
次に、ＣＰＵ３０１は会計を行う（ステップＳ２８０）。具体的には、ＣＰＵ３０１は、「現金会計」ボタンと「カード会計」ボタンを表示部３０５に表示させる。顧客は、表示部３０５に表示された小計金額と、総数量を確認し、「現金会計」ボタンと「カード会計」ボタンのいずれかを選択し押すことで、会計方法を選択する。表示部３０５は、顧客が選択した会計方法の情報をＣＰＵ３０１に出力する。ＣＰＵ３０１は、入力された会計方法の情報に基づいて、表示部３０５に顧客への指示を表示させる。その後、顧客が表示部３０５に表示された指示に従い、会計を済ませる。会計完了後、ＣＰＵ３０１は、顧客が持ち帰る会計済みレシートを印刷部３０９に印刷させる。なお、会計済みのレシートを発行せず、２次元コードが印刷されたレシートを会計後のレシートとしてもよい。
【００４４】
次に、表示部３０５に表示する表示画面について図８から１１を用いて説明する。図８は、本実施形態による１０件表示画面１００の表示例を示す概略図である。
ＣＰＵ３０１は、上述したステップＳ２５０において、登録商品品目件数が１０件以下の場合、図４に示す表示設定テーブルの条件により表示パターン１を選択し、１０件表示画面１００を表示部３０５に表示する。１０件表示画面１００には、登録商品のリスト１１と、ページ番号１２と、登録商品の合計金額１３と、登録商品の合計点数１４と、値引き対象商品における値引き金額の合計である値引合計１５と、値引きの理由を表示する値引き理由１６と、お会計ボタン１７とが表示される。ここで、登録商品のリスト１１には、登録商品の商品名称と、個数と、値引き或いは割引きの金額である値引割引と、金額とがリスト表示される。また、ページ番号１２には、現在表示しているページが何ページ目かが表示される。例えば、登録商品品目件数が１０件以下の場合には、ページ番号１２には「１／１」が表示される。
【００４５】
図９は、本実施形態による２０件表示画面２００の表示例を示す概略図である。
ＣＰＵ３０１は、上述したステップＳ２５０において、登録商品品目件数が１１件以上の場合、図４に示す表示設定テーブルの条件により表示パターン２を選択し、２０件表示画面２００を表示部３０５に表示する。２０件表示画面２００には、登録商品のリスト２１と、ページ番号２２と、登録商品の合計金額２３と、登録商品の合計点数２４と、値引き対象商品の値引き金額の合計である値引合計２５と、値引きの理由を表示する値引き理由２６と、お会計ボタン２７と、表示切替ボタン２８と、上ボタン２９ａと、下ボタン２９ｂが表示される。ここで、ページ番号２２には、現在表示しているページが何ページ目かが表示される。例えば、登録商品品目件数が表示パターン２の品目件数である２０以下の場合には、「１／１」がページ番号２２に表示される。一方、登録商品品目件数が２１件以上の場合には、登録商品品目件数を表示パターン２の品目件数である２０で割った数字Ｘが分母となり、現在開いているページＹが分子となり、ページ番号２２には「Ｙ／Ｘ」と表示される。また、表示切替ボタン２８が押下されると、ＣＰＵ３０１は、リスト２１に表示する登録商品を表示パターン１の品目件数１０件に変更し、後述する２０−１０件表示画面を表示部３０５に表示する。また、上ボタン２９ａ及び下ボタン２９ｂは、登録商品品目件数が図５に示す表示パターンテーブルの品目件数より大きい場合に表示される。上ボタン２９ａ又は下ボタン２９ｂが押下されると、ＣＰＵ３０１は、リスト２１に表示する登録商品を変更する。具体的には、上ボタン２９ａが押下されると、ＣＰＵ３０１は、リスト２１に表示する登録商品をページ（画面）単位で上へスクロールさせる。また、下ボタン２９ｂが押下されると、リスト２１に表示する登録商品をページ（画面）単位で下へスクロールさせる。
【００４６】
図１０は、本実施形態による２０−１０件表示画面３００の表示例を示す概略図である。
ＣＰＵ３０１は、上述したステップＳ２６０において、表示切替ボタン２８が押下された場合に、２０−１０件表示画面３００を表示部３０５に表示する。２０−１０件表示画面３００には、登録商品のリスト３１と、ページ番号３２と、登録商品の合計金額３３と、登録商品の合計点数３４と、値引き対象商品の値引き金額の合計である値引合計３５と、値引きの理由を表示する値引き理由３６と、お会計ボタン３７と、表示切替ボタン３８と、上ボタン３９ａと、下ボタン３９ｂが表示される。ここで、ページ番号３２には、現在表示しているページが何ページ目かが表示される。図示する例では、表示パターンが２である場合には、「１／１」がページ番号３２に表示される。一方、表示切替ボタン３８の押下により「もじ大」に切り替えられた場合は、表示パターンを１に切り替え、登録商品品目件数を図５に示す表示パターン１の品目件数１０で割った数字Ｘ１が分母となり、現在開いているページＹ１が分子となり、ページ番号３２には「Ｙ１／Ｘ１」と表示される。また、表示切替ボタン３８が再度押下されると、ＣＰＵ３０１は、リスト３１に表示する登録商品の品目件数を図５に示す表示パターン２の品目件数２０件に変更し、２０件表示画面２００を表示部３０５に表示する。また、上ボタン３９ａ及び下ボタン３９ｂは、登録商品品目件数が図４に示す表示設定テーブルの条件又は図５に示す表示パターンテーブルの品目件数以上である場合に表示される。上ボタン３９ａ又は下ボタン３９ｂが押下されると、ＣＰＵ３０１は、リスト３１に表示する登録商品を変更する。具体的には、上ボタン３９ａが押下されると、ＣＰＵ３０１は、リスト３１に表示する登録商品をページ（画面）単位で上へスクロールさせる。また、下ボタン３９ｂが押下されると、リスト３１に表示する登録商品をページ（画面）単位で下へスクロールさせる。
【００４７】
図１１は、本実施形態による会計画面４００の表示例を示す概略図である。
ＣＰＵ３０１は、上述したステップＳ２８０において、会計をする際に会計画面４００を表示する。会計画面４００には、登録商品の合計金額であるお買上金額４１と、顧客が投入した金額であるお預かり金額４２と、お預かり金額４２とお買上金額４１の差額であるお釣り４３と、レシート発行ボタン４４とが表示される。レシート発行ボタン４４が押下されると、ＣＰＵ３０１は印刷部３０９からレシートを印字発行する。
【００４８】
このように、本実施形態によれば、登録商品の品目件数に基づいて買い上げ明細にリスト表示する登録商品の品目件数及び文字サイズを決定している。このため、顧客が購入する商品の品目が少ない場合、人手を介することなく買い上げ明細を見やすい大きな文字で表示することができるため、購入する商品の名称及びその購入点数の目視確認が容易となり、会計操作をスムーズに行うことができる。これにより、操作性を向上させることができ、客捌きの効率を向上させることができる。
また、買い上げ明細における文字サイズを変更することができるため、顧客が購入する商品数が多い場合であっても、買い上げ明細を大きな文字で表示させることができる。これにより、購入する商品の名称及びその購入点数を容易に目視確認できるため、会計操作をスムーズに行うことができる。
また、顧客の希望に応じた表示品目件数にて買い上げ明細を表示することができるため、購入する商品の名称及びその購入点数の目視確認を容易にすることができる。また、表示品目件数に合わせて文字サイズも変更するため、買い上げ明細を見易く表示することができる。このため、何れの顧客も購入商品の目視確認をスムーズに行うことができ、従来に比べて速やかに会計を完了することができる。つまり、操作性を向上させることができたので、客捌きの効率を向上させることができる。
【００４９】
以上、図面を参照してこの発明の一実施形態について詳しく説明してきたが、具体的な構成は上述のものに限られることはなく、この発明の要旨を逸脱しない範囲内において様々な設計変更等をすることが可能である。
例えば、本実施形態では、印刷用ＰＯＳレジスタ２０と会計用ＰＯＳレジスタ３０とからなるＰＯＳシステムを用いて説明を行ったが、これに限らず、顧客がＰＯＳレジスタに接続されているスキャナを用いて商品に付されたコード情報（バーコード）をスキャナにより読み取らせて会計を行うセルフＰＯＳレジスタに本発明を適用して、買い上げ明細における文字サイズを切り替えて表示させるようにしてもよい。
【符号の説明】
【００５０】
１０…ストアコントローラ  ２０…印刷用ＰＯＳレジスタ  ３０…会計用ＰＯＳレジスタ  ５０…レシート  １１０…ＬＡＮ  ２０１…ＣＰＵ  ２０２…ＲＯＭ  ２０３…ＲＡＭ  ２０４…スキャナ部  ２０５…表示部（店員用）  ２０５ａ…表示部（客用）  ２０６…操作部  ２０７…通信部  ２０８…ブザー  ２０９…レシート印刷部  ２１０…ハードディスク  ３０１…ＣＰＵ  ３０２…ＲＯＭ  ３０３…ＲＡＭ  ３０４…スキャナ部  ３０５…表示部  ３０６…操作部  ３０７…通信部  ３０８…ブザー  ３０９…印刷部
【図１】
2011253233.tif 000003
【図２】
2011253233.tif 000004
【図３】
2011253233.tif 000005
【図４】
2011253233.tif 000006
【図５】
2011253233.tif 000007
【図６】
2011253233.tif 000008
【図７】
2011253233.tif 000009
【図８】
2011253233.tif 000010
【図９】
2011253233.tif 000011
【図１０】
2011253233.tif 000012
【図１１】
2011253233.tif 000013